(57)【要約】【課題】コネクタ同士の嵌合をロックする工程の作業性を高めることが可能な構造を有する電気コネクタを提供すること。【解決手段】本発明にかかる電気コネクタは、電線側コネクタ１、２０１と、基板側コネクタ２、２０２と、これらのコネクタ同士の嵌合状態をロックするロック部材１２１、３２１を備えている。ロック部材１２１、３２１は、基体１２３、３２３から突出し、コネクタの嵌合状態に位置規制する保持部１２４、１２５、３２４と、突出部１２２、３２２を有する。突出部１２２、３２２は、基板側コネクタ２、２０２に支持部材１５１、３３２、３３３によってスライド可能に支持されている。突出部１２２、３２２に設けられた引掛部１３０、３２５、３２６がレセプタクルハウジング１０１、３０１の一部と接しているため、ロック部材１２１、３２１は当該レセプタクルハウジング１０１、３０１から抜け出ない。【選択図】  図１
2009134898.tif 000002
【特許請求の範囲】
【請求項１】
第１の端子（５１）が配設された第１のハウジング（１１、２１１）を有する第１のコネクタ（１、２０１）と、
前記第１の端子（５１）と接続される第２の端子（１５５）が配設された第２のハウジング（１０１、３０１）を有し、その底面が当接して基板に実装される第２のコネクタ（２、２０２）と、
前記第２のコネクタ（２、２０２）に対しスライド可能で、前記第１のコネクタ（１、２０１）と前記第２のコネクタ（２、２０２）の嵌合状態を維持するロック部材（１２１、３２１）とを備えた電気コネクタであって、
前記ロック部材（１２１、３２１）は、
基体（１２３、３２３）と、
前記基体（１２３、３２３）から突出し、前記第１のコネクタ（１、２０１）と第２のコネクタ（２、２０２）とを嵌合状態に位置規制する保持部（１２４、１２５、３２４）と、
前記基体（１２３、３２３）から前記保持部（１２４、１２５、３２４）が突出した側に突出し、前記保持部（１２４、１２５、３２４）を前記第２のハウジング（１０１、２０１）に対してスライド可能に支持する突出部（１２２、３２２）と、
前記突出部（１２２、３２２）に設けられ、前記第２のハウジング（１０１、２０１）の一部と当接して、当該第２のハウジング（１０１、２０１）の背面側から抜け出るのを防止する引掛部（１３０、３２５、３２６）とを有し、
当該第２のコネクタ（２、２０２）は、
当該ロック部材（１２１、３２１）の突出部（１２２、３２２）をスライド可能に支持する支持部（１５１、３３２、３３３）と、
第２のハウジング（１０１、３０１）に設けられ、前記引掛部（１３０、３２５、３２６）と当接することにより前記ロック部材（１２１、３２１）が当該第２のハウジング（１０１、３０１）から抜け出るのを防止する当接部（１６０、３３４、３３５）を備えた電気コネクタ。
【請求項２】
第１の端子（５１）が配設された第１のハウジング（２１１）を有する第１のコネクタ（２０１）と、
前記第１の端子（５１）と接続される第２の端子（１５５）が配設された第２のハウジング（３０１）を有し、その底面が当接して基板に実装される第２のコネクタ（２０２）と、
前記第２のコネクタ（２０２）に対しスライド可能で、前記第１のコネクタ（２０１）と前記第２のコネクタ（２０２）の嵌合状態を維持するロック部材（３２１）とを備えた電気コネクタであって、
前記ロック部材（３２１）は、
基体（３２３）と、
前記基体（３２３）から突出し、前記第１のコネクタ（２０１）と第２のコネクタ（２０２）とを嵌合状態に位置規制する保持部（３２４ａ、３２４ｂ）と、
前記基体（３２３）から前記保持部（３２４）が突出した側に突出し、前記保持部（３２４）を前記第２のハウジング（２０１）に対してスライド可能に支持する突出部（３２２）と、
前記突出部（３２２）に設けられ、前記第２のハウジング（２０１）の一部と当接して、当該第２のハウジング（２０１）から抜け出るのを防止する引掛部（３２５、３２６）とを有し、
当該第２のコネクタ（２０２）は、
当該ロック部材（３２１）の突出部（３２２）を収容し、第２ハウジング（２０１）の底面側に開口を有する溝部（３１０）と、
第２のハウジング（３０１）に設けられ、前記引掛部（３２５、３２６）と当接することにより前記ロック部材（３２１）が当該第２のハウジング（３０１）から抜け出るのを防止する背面リブ（３３４、３３５）を備えた電気コネクタ。
【請求項３】
前記保持部（３２４）は、
コネクタ同士が嵌合した状態において、前記第１のハウジング（３２２）と接する第１の保持部（３２４ａ）と、
コネクタ同士が嵌合した状態において、前記第２のハウジング（３０１）と接する第２の保持部（３２４ｂ）を備えた請求項２に記載の電気コネクタ。
【請求項４】
前記第２のハウジング（３０１）は、その背面に設けられた切欠部（３４３）が形成され、
前記ロック部材（３２１）の突出部（３２２）をスライドさせた場合に、当該突出部（３２２）が挿入された状態で当該切欠部（３４３）において前後方向に移動することを特徴とする請求項２〜３いずれか１項に記載の電気コネクタ。
【請求項５】
前記引掛部（３２５、３２６）は、ロック部材（３２１）の突出部（３２２）の先端に形成され、前記切欠部（３４３）よりも幅広であることを特徴とする請求項3〜４いずれか１項に記載の電気コネクタ。
【請求項６】
第２ハウジング（３０１）の底面側に設けられた溝部（３１０）の開口の一部は、前記突出部（３２２）をスライド可能に支持する底面リブ（３２２、３２３）を備え、
他の一部は、前記引掛部（３２５、３２６）を底面側から挿入可能に幅広に形成されている切欠部（３４１、３４２）を備えていることを特徴とする請求項に記載の電気コネクタ。
【請求項７】
第１の端子（５１）が配設された第１のハウジング（１１）を有する第１のコネクタ（１）と、
前記第１の端子（５１）と接続される第２の端子（１５５）が配設された第２のハウジング（１０１）を有し、その底面が当接して基板に実装される第２のコネクタ（２）と、
前記第２のコネクタ（２）に対しスライド可能で、前記第１のコネクタ（１）と前記第２のコネクタ（２）の嵌合状態を維持するロック部材（１２１）とを備えた電気コネクタであって、
前記ロック部材（１２１）は、
基体（１２３）と、
前記基体（１２３）から突出し、前記第１のコネクタ（１）と第２のコネクタ（２）とを嵌合状態に位置規制する保持部（１２４、１２５）と、
前記基体（１２３）から前記保持部（１２４、１２５）が突出した側に突出し、前記保持部（１２４、１２５）を前記第２のハウジング（１０１）に対してスライド可能に支持する突出部（１２２）と、
前記突出部（１２２）に設けられ、前記第２のハウジング（１０１）の一部と当接して、当該第２のハウジング（１０１）の背面側から抜け出るのを防止する引掛部（１３０）とを有し、
当該第２のコネクタ（２）は、
当該ロック部材（１２１）の突出部（１２２）を収容する溝部（１０５）と、
前記溝部（１０５）内に収容した突出部（１２２）をスライド可能に支持する補強部材（１５１）と、
前記溝部（１０５）に設けられ、前記引掛部（１３０）と当接することにより前記ロック部材（１２１）が当該第２のハウジング（１０１）から抜け出るのを防止する段差部（１６０）を備えた電気コネクタ。
【請求項８】
前記保持部（１２４、１２５）は、
コネクタ同士が嵌合した状態において、前記第１のハウジング（１１）と接する第１の保持部（１２４）と、
コネクタ同士が嵌合した状態において、前記第２のハウジング（１０１）と接する第２の保持部（１２５）を備えた請求項７記載の電気コネクタ。
【請求項９】
前記補強部材（１５１）は、前記第２のハウジング（１０１）に固定され、
一端において前記突出部（１２２）を支持し、
他端において前記基板に固定されることを特徴とする請求項７〜８のいずれか１項に記載の電気コネクタ。
【請求項１０】
前記突出部（１２２）は、前記基体（１２３）の両端部から当該基体（１２３）に対してそれぞれ略垂直に突出した第１の突出部（１２２ａ）と第２の突出部（１２２ｂ）より構成されていることを特徴とする請求項７〜９いずれか１項に記載の電気コネクタ。
【請求項１１】
前記第１の突出部（１２２ａ）と第２の突出部（１２２ｂ）は、第１のコネクタ（１）が挿入される、第２のコネクタ（２）の嵌合凹部よりも外側において、補強部材（１５１）によって位置規制されることを特徴とする請求項１０に記載の電気コネクタ。
【発明の詳細な説明】
【技術分野】
【０００１】
本発明は、電気コネクタに関し、特に、電気コネクタのロック構造に関する。
【背景技術】
【０００２】
従来より、プリント回路基板等の基板に実装され、他の電気回路等と接続する用途に、電気コネクタが使用されている。電気コネクタは、例えば、電線側コネクタと基板側コネクタより構成され、両者が離れないように保持するためのロック構造を備えている。
【０００３】
電気コネクタのロック構造としては、電線側コネクタと基板側コネクタの双方に係合部を設け、相互に係合状態にすることによってロックする機構が一般的である。さらに、二つのコネクタ以外のロック部材によって、コネクタ同士の嵌合状態を確実にロックする技術も提案されている（例えば、特許文献１参照）。
【０００４】
ここで、図３４を用いて、ロック部材によるロック機構を備えた、従来のコネクタについて説明する。図３４に示すコネクタは、主として、雄型コネクタ８０１と、雌型コネクタ８０２より構成されている。かかる雌型コネクタ８０２には、ロック部材に相当する差込みロック板８０３がスライド可能な状態で取り付けられている。雌型コネクタ８０２に対して雄型コネクタ８０１を挿入すると、差込みロック板８０３は、点線で示す位置まで上方に移動する（図３４の差込みロック板８０３ａの位置）が、この差込みロック板８０３に設けられた突起８０４が差込孔の孔縁に係止されて、差込みロック板８０３が抜けるのが防止される。そして、雄型コネクタ８０１の先端を、雌型コネクタ８０２の差込み開口の内奥に対して完全に差し込むと、両者の接続端子が相互に接続されて、コネクタ同士の電気的接続は完了する。さらに、差込みロック板８０３を押し下げると、雄型コネクタ８０１の一部に当該差込みロック板８０３の一部が係合し、コネクタ同士の嵌合状態がロックされる。
【０００５】
【特許文献１】特開平９−５５２６４号公報
【発明の開示】
【発明が解決しようとする課題】
【０００６】
このように、従来のコネクタにおいては、差込みロック板８０３が雌型コネクタ８０２に突起８０４等の突起によって仮止めされた状態にあるが、差込み時に変形した突起８０４の変形戻りに基づいて係止しているに過ぎないから、当業者であれば、差込みロック板８０３に対し雌型コネクタ８０２から離れる方向に外力が加わると容易に外れてしまうことが理解できるだろう。
【０００７】
差込みロック板８０３が雌型コネクタ８０２から外れやすいと、差込みロック板８０３を紛失する危険性が高まり、差込みロック板８０３を雌型コネクタ８０２に対して再び取り付けを行うための作業工程を増加させるなどの問題が発生する。
【０００８】
本発明は、かかる問題を解消するためになされたものであり、コネクタ同士の嵌合をロックする工程の作業性を高めることが可能な構造を有する電気コネクタを提供することを目的とする。
【課題を解決するための手段】
【０００９】
本発明にかかる電気コネクタは、第１の端子が配設された第１のハウジングを有する第１のコネクタと、前記第１の端子と接続される第２の端子が配設された第２のハウジングを有し、その底面が当接して基板に実装される第２のコネクタと、前記第２のコネクタに対しスライド可能で、前記第１のコネクタと前記第２のコネクタの嵌合状態を維持するロック部材とを備えた電気コネクタであって、前記ロック部材は、基体と、前記基体から突出し、前記第１のコネクタと第２のコネクタとを嵌合状態に位置規制する保持部と、前記基体から前記保持部が突出した側に突出し、前記保持部を前記第２のハウジングに対してスライド可能に支持する突出部と、前記突出部に設けられ、前記第２のハウジングの一部と当接して、当該第２のハウジングの背面側から抜け出るのを防止する引掛部とを有し、当該第２のコネクタは、当該ロック部材の突出部をスライド可能に支持する支持部と、第２のハウジングに設けられ、前記引掛部と当接することにより前記ロック部材が当該第２のハウジングから抜け出るのを防止する当接部を備えたものである。このように、本発明にかかる電気コネクタは、引掛部及び当接部によってロック部材が第２のハウジングから分離するのを防止したため、ロック部材の紛失が発生せず、かつロック部材の再取付の手間も発生しないため、コネクタ同士の嵌合をロックする工程の作業性を高めることができ
る。
【００１０】
本発明にかかる他の観点による電気コネクタは、第１の端子が配設された第１のハウジングを有する第１のコネクタと、前記第１の端子と接続される第２の端子が配設された第２のハウジングを有し、その底面が当接して基板に実装される第２のコネクタと、前記第２のコネクタに対しスライド可能で、前記第１のコネクタと前記第２のコネクタの嵌合状態を維持するロック部材とを備えた電気コネクタであって、前記ロック部材は、基体と、前記基体から突出し、前記第１のコネクタと第２のコネクタとを嵌合状態に位置規制する保持部と、前記基体から前記保持部が突出した側に突出し、前記保持部を前記第２のハウジングに対してスライド可能に支持する突出部と、前記突出部に設けられ、前記第２のハウジングの一部と当接して、当該第２のハウジングの背面側から抜け出るのを防止する引掛部とを有し、当該第２のコネクタは、当該ロック部材の突出部を収容し、第２ハウジングの底面側に開口を有する溝部と、第２のハウジングに設けられ、前記引掛部と当接することにより前記ロック部材が当該第２のハウジングから抜け出るのを防止する背面リブを備えたものである。このように、本発明にかかる電気コネクタは、引掛部及び背面リブによってロック部材が第２のハウジングから分離するのを防止したため、ロック部材の紛失が発生せず、かつロック部材の再取付の手間も発生しないため、コネクタ同士の嵌合をロックする工程の作業性を高めることができる。
【００１１】
ここで、保持部は、コネクタ同士が嵌合した状態において、前記第１のハウジングと接する第１の保持部と、コネクタ同士が嵌合した状態において、前記第２のハウジングと接する第２の保持部により構成することができる。
【００１２】
そして、前記第２のハウジングは、その背面に設けられた切欠部が形成され、前記ロック部材の突出部をスライドさせた場合に、当該突出部が挿入された状態で当該切欠部において前後方向に移動するようにすることが好ましい。かかる開口部は、例えば、基板によって塞がれるため、ロック部材が抜けることを防止できる。
【００１３】
また、引掛部は、ロック部材の突出部の先端に形成され、前記切欠部よりも幅広であることが望ましい。このような構成により、引掛部が切欠部の内側で係止されるため、ロック部材が第２のハウジングより抜け出るのを防止できる。
【００１４】
さらに、第２ハウジングの底面側に設けられた溝部の開口の一部は、前記突出部をスライド可能に支持する底面リブを備え、他の一部は、前記突出部を底面側から挿入可能に幅広に形成されている切欠部を備えていることが望ましい。これにより、ロック部材を開口部より容易に挿入できるとともに、基板に実装する前であってもロック部材を挿入後にずらすことで第２のハウジングより抜け出るのを防止できる。
【００１５】
本発明にかかる他の観点による電気コネクタは、第１の端子が配設された第１のハウジングを有する第１のコネクタと、前記第１の端子と接続される第２の端子が配設された第２のハウジングを有し、その底面が当接して基板に実装される第２のコネクタと、前記第２のコネクタに対しスライド可能で、前記第１のコネクタと前記第２のコネクタの嵌合状態を維持するロック部材とを備えた電気コネクタであって、前記ロック部材は、基体と、前記基体から突出し、前記第１のコネクタと第２のコネクタとを嵌合状態に位置規制する保持部と、前記基体から前記保持部が突出した側に突出し、前記保持部を前記第２のハウジングに対してスライド可能に支持する突出部と、前記突出部に設けられ、前記第２のハウジングの一部と当接して、当該第２のハウジングの背面側から抜け出るのを防止する引掛部とを有し、当該第２のコネクタは、当該ロック部材の突出部を収容する溝部と、前記溝部内に収容した突出部をスライド可能に支持する補強部材と、前記溝部に設けられ、前記引掛部と当接することにより前記ロック部材が当該第２のハウジングから抜け出るのを防止する段差部を備えたものである。このように、本発明にかかる電気コネクタは、引掛部及び当接部によってロック部材が第２のハウジングから分離するのを防止したため、ロック部材の紛失が発生せず、かつロック部材の再取付の手間も発生しないため、コネクタ同士の嵌合をロックする工程の作業性を高めることができる。
【００１６】
ここで、保持部は、コネクタ同士が嵌合した状態において、前記第１のハウジングと接する第１の保持部と、コネクタ同士が嵌合した状態において、前記第２のハウジングと接する第２の保持部により構成することができる。
【００１７】
また、前記補強部材は、前記第２のハウジングに固定され、一端において前記突出部を支持し、
他端において前記基板に固定されることが望ましい。
【００１８】
さらに、前記突出部は、前記基体の両端部から当該基体に対してそれぞれ略垂直に突出した第１の突出部と第２の突出部より構成されていることが好ましい。このような構成により、ロック部材と第２のハウジングとの間で捩れが発生することなく、コネクタ同士の嵌合を確実にロックすることができる。
【００１９】
また、前記第１の突出部と第２の突出部は、第１のコネクタが挿入される、第２のコネクタの嵌合凹部よりも外側において、補強部材によって位置規制されることが望ましい。このような構成によって、第１の突出部や第２の突出部が突出する方向についてコネクタの長さを短くすることが可能となる。
【発明の効果】
【００２０】
本発明によれば、コネクタ同士の嵌合をロックする工程の作業性を高めることが可能な構造を有する電気コネクタを提供することができる。
【発明を実施するための最良の形態】
【００２１】
発明の実施の形態１．
図１は、本実施の形態１にかかる電気コネクタを示す斜視図であり、嵌合前の状態を示している。図に示されるように、本実施の形態１にかかる電気コネクタは、電線側コネクタ１と、基板側コネクタ２を備えた電線対基板コネクタである。当該電気コネクタは、第１のコネクタに相当する電線側コネクタ１と、第２のコネクタに相当する基板側コネクタ２と、ロック部材１２１とを備えている。電線側コネクタ１は、プラグコネクタであり、ケーブルの端部に接続されている。基板側コネクタ２は、レセプタクルコネクタであり、その底面が当接して回路基板に実装される。ロック部材１２１は、基板側コネクタ２に対しスライド可能で、電線側コネクタ１と基板側コネクタ２の嵌合状態を維持する部材である。
【００２２】
なお、本実施の形態においては、図１において電線２１が導出されている方向を背面（後方）、その反対方向で後述の膨出部１４が形成されている側を前面（前方）とし、その前面に向かって両コネクタの長手方向左側を左方、その反対方向を右方、基板側コネクタ２の基板に装着される側を下方、その反対側を上方とする。
【００２３】
図１に示されるように、電線側コネクタ１は、複数の電線２１を備えるケーブルの端部に接続されている。この例では、電線側コネクタ１の長手方向の両端近傍に２本ずつのケーブルの端部が、電線側コネクタ１に接続されている。電線２１の先端には、図１２に示されるように端子５１が取り付けられている。電線側コネクタ１は、ケーブルを基板側コネクタ２を介してその回路基板に電気的に接続する機能を有する。なお、電線側コネクタ１に接続されるケーブルは、断面円形の電線を備えるケーブルに限らず、フレキシブルフラットケーブル（ＦＦＣ：Flexible Flat Cable）、フレキシブル回路基板（ＦＰＣ：Flexible
Printed Circuit）等の平板状可撓性ケーブルであってもよい。
【００２４】
電線側コネクタ１は、プラグハウジング１１を備えている。このプラグハウジング１１は、合成樹脂等の絶縁性材料によって一体的に形成されている。そして、プラグハウジング１１は、外形が概略直方体の箱状の部材であり、相手側コネクタである基板側コネクタ２に対向する対向面４０を底面１０７に対向するようにして、基板側コネクタ２のレセプタクルハウジング１０１の挿入凹部に挿入される。
【００２５】
プラグハウジング１１には、背面から前面まで連通する二つの端子収容孔１２ａ、１２ｂが形成されている。この端子収容孔１２ａ、１２ｂは、電線２１の端部に接続された電線用端子５１を収容する。
プラグハウジング１１の左右の対向する両端部としての側面１８ａ，１８ｂから前面１９に亘って、２つのロックアーム３１ａ、３１ｂが設けられている。このロックアーム３１ａ、３１ｂは、ロック面としての前面１９中央に係止部のあるセンターロック方式でありながら、コネクタの両端部におけるロックの嵌合動作及び解除動作を可能とする上で重要な役割を果たす。
【００２６】
ロックアーム３１ａは、複数の屈曲部を持つ両持梁状のアーム部材である。このロックアーム３１ａの一端は、プラグハウジング１１の右側面１８ａの下方であって、前後方向において中央付近に一体的に接続され、この接続位置から右側面１８ａに対して略垂直な方向に延出している。そして、その延出部分から上方向に屈曲して端子収容孔１２ａの下面と略同じ高さまで伸びている。この部分を第１の連結部材３２ａとする。第１の連結部材３２ａはその上端部近傍においてさらに前面１９側に屈曲して前面１９を越えるまで右側面１８ａに対して略平行に伸びている。この部分を第２の連結部材３３ａとする。第２の連結部材３３ａは、前面１９の右端部近傍において中央側に屈曲して前面１９の長手方向について中央に設けられた膨出部１４に向かって前面１９と平行に伸びている。この部分を第３の連結部材３４ａとする。さらに、第３の連結部材３４ａは、当該膨出部１４より所定距離分だけ離れた位置において底面側に屈曲して下方に当該膨出部１４の側面と平行に伸びている。この部分を第４の連結部材３５ａとする。さらに第４の連結部材３５ａは、底面近傍において膨出部１４側（即ち中央側）に屈曲して底面に平行に伸びて、膨出部１４に一体的に接続している。この部分を第５の連結部材３６ａとする。
ここで、膨出部１４は前面１９から矩形状に突出し、その突出寸法は第５の連結部材３６ａの突出方向の長さよりも大きくなっている。
【００２７】
これらの第１の連結部材３２ａ、第２の連結部材３３ａ、第３の連結部材３４ａ、第４の連結部材３５ａ、第５の連結部材３６ａはそれぞれ断面が矩形状の棒状部材である。そして、第１の連結部材３２ａの端部であるロックアーム３１ａの一端と、第５の連結部材３６ａの端部であるロックアーム３１ａの他端において、それぞれプラグハウジング１１の右側面１８ａと膨出部１４に連結されているものの、ロックアーム３１ａのその他の部分は、プラグハウジング１１の右側面１８ａ及び前面１９から所定の距離だけ離れている。
【００２８】
また、第１の連結部材３２ａは撓みやすくなるよう比較的薄く形成され、第２および第３の連結部材３３ａ、３４ａは不要な撓みを起こさないよう比較的太く形成されている。さらに第４および第５の連結部材３５ａ、３６ａはテーパー部３９ａを介して第３の連結部材３４ａに連結され、撓みやすくするよう比較的薄く形成されている。
特に、テーパー部３９ａは第３の連結部材３４ａに形成され、第４の連結部材３５ａと接合される屈曲部では薄く形成されている。また、第５の連結部材３６ａも第４の連結部材３５ａと同じ断面形状で、第４および第５の連結部材３５ａ、３６ａは屈曲部を含め撓みやすく形成されている。
従って、ロックアーム３１ａは、第１の連結部材３２ａ、屈曲部を含む第４の連結部材３５ａ、第５の連結部材３６ａが撓むことによって、各連結部材が、プラグハウジング１１の右側面１８ａや前面１９に対する相対的な位置を変えることができる。
【００２９】
第４の連結部材３５ａの上下方向に延在した部分の中央部近傍には、前側（即ち、プラグハウジング１１の前面１９から離れる方向）に突出した係合突起３７ａが一体的に形成されている。係合突起３７ａの上面はコネクタ同士の嵌合方向に対し垂直な面を形成するようになっている。この係合突起３７ａが、基板側コネクタ２の係合突起１１３ａと係合することによってコネクタ同士の嵌合状態が保持される。係合突起３７ａは、このように前側に突出しているので、ロックアーム３１ａの長手方向内側への可動範囲を広くすることができる。
【００３０】
第３の連結部材３４ａの上面の一部に切欠部３８ａが設けられている。切欠部３８ａは、端子収容孔１２ａの下面より前側に突出した突起部１３ａを受け入れる位置に設けられている。さらに詳細には、ロックアーム３１ａに対して外力が作用しない状態において、当該突起部１３ａが切欠部３８ａの中で左側に位置するように配置されている。
すなわち、第３の連結部材３４ａは右側への移動が左側への移動より、その移動量が規制されるようになっている。
【００３１】
ロックアーム３１ｂは、その一端がプラグハウジング１１の左側面から延出し、他端が膨出部１４の左側面に連結している。ロックアーム３１ｂの基本的な構成は、ロックアーム３１ａと同じであり、第１の連結部材３２ｂ、第２の連結部材３３ｂ、第３の連結部材３４ｂ、第４の連結部材３５ｂ、第５の連結部材３６ｂ、係合突起３７ｂ、切欠部３８ｂが、それぞれロックアーム３１ａにおける第１の連結部材３２ａ、第２の連結部材３３ａ、第３の連結部材３４ａ、第４の連結部材３５ａ、第５の連結部材３６ａ、係合突起３７ａ、切欠部３８ａに相当し、同様の機能を奏するため、具体的な説明は省略する。
【００３２】
このように、一対のロックアーム３１ａ、３１ｂのそれぞれの一端が膨出部１４より左右方向外側に延在する構成を採用しているため、コネクタ同士の嵌合動作を行う場合にもロックアーム３１ａ、３１ｂの位置を安定させることができ、確実な嵌合を実現できる。
本実施の形態では、ロックアーム３１ａ、３１ｂは、膨出部１４を中心として左右対称で同一形状として説明するが、同様の作用効果を奏すれば必ずしも左右同形状でなくても良い。
また、ロックアームの強度を適切に設定する等して、片側にのみ可動のロックアームを形成するようにしても良い。
プラグハウジング１１の長手方向の両端面である側面には、その側面の下側部分において膨出した膨出部１５ａ、１５ｂが形成されている。この膨出部１５ａ、１５ｂの上面には、それぞれ突起部１６ａ、１６ｂおよび凹部１７ａ、１７ｂが形成されている。
【００３３】
続いて、基板側コネクタ２について説明する。基板側コネクタ２は、電線側コネクタ１と嵌合するレセプタクルハウジング１０１を備え、ロック部材１２１を、電線側コネクタ１と基板側コネクタ２の嵌合方向（本実施の形態の場合、上下方向）に直角な方向にスライド可能に支持している。レセプタクルハウジング１０１と、ロック部材１２１のそれぞれは、合成樹脂等の絶縁性材料によって一体的に形成されている。
【００３４】
レセプタクルハウジング１０１は、外形が概略直方体の箱状の部材であり、相手側コネクタである電線側コネクタ１が挿入される挿入凹部を有する。挿入凹部は、レセプタクルハウジング１０１の外形と同様に左右方向を長手とする概略直方体の形状であり、レセプタクルハウジング１０１の側壁である、右側壁１０２ａ、左側壁１０２ｂ、前壁１０３、後壁１０４の内面及び底面１０７の内面によって画定される。
【００３５】
レセプタクルハウジング１０１の底面１０７には、端子部１０８ａ、１０８ｂが設けられている。レセプタクルハウジング１０１の長手方向について両端面である右側壁１０２ａおよび左側壁１０２ｂのそれぞれの外側面には、左右方向に突出する膨出部１０６ａ、１０６ｂが形成されている。この膨出部１０６ａ、１０６ｂは、後述のロック部材１２１をスライド可能にする支持部を構成する補強金具１５１ａ、１５１ｂが取り付けられ、ロック部材１２１の突出部１２２ａ、１２２ｂをスライド可能に支持する。
膨出部１０６ａ、１０６ｂには、ロック部材１２１の突出部１２２ａ、１２２ｂが収容される溝部１０５ａ、１０５ｂが設けられている。溝部１０５ａ、１０５ｂの底面には、段差部１６０ａ、１６０ｂが設けられている（図９、図１０参照）。また、溝部１０５ａ、１０５ｂの外側には、補強金具１５１ａ、１５１ｂを取り付けるための取付孔１０９ａ、１０９ｂが設けられている。
【００３６】
図２に示される補強金具１５１ａ、１５１ｂは、レセプタクルハウジング１０１を回路基板に固定するとともに、ロック部材１２１の突出部１２２ａ、１２２ｂをスライド可能にレセプタクルハウジング１０１若しくは回路基板に固定する部材である。補強金具１５１ａ、１５１ｂの基部１５２ａ、１５２ｂの一端には、釘状部１５３ａ、１５３ｂが突出して形成され、他端には、鉤片１５４ａ、１５４ｂが形成されている。
補強金具１５１ａ、１５１ｂは、レセプタクルハウジング１０１の取付孔１０９ａ、１０９ｂに圧入され、その基部１５２ａ、１５２ｂの側部に形成された凹凸構造により当該取付孔１０９ａ、１０９ｂ内に固定される。
釘状部１５３ａ、１５３ｂは、さらに当該取付孔１０９ａ、１０９ｂを突き抜けて図示しない回路基板に実装される。従って、回路基板に実装された状態において補強金具１５１ａ、１５１ｂは、強固に当該レセプタクルハウジング１０１及び回路基板に対して固定されているため、突出部１２２ａ、１２２ｂは前後方向にスライドは可能だが、上下方向には移動が実質的に制限される。
【００３７】
鉤片１５４ａ、１５４ｂは、基部１５２ａ、１５２ｂから略垂直に折曲されて形成されている。かかる鉤片１５４ａ、１５４ｂの内面は、ロック部材１２１の突出部１２２ａ、１２２ｂを上方から押えて保持することができるように、当該突出部１２２ａ、１２２ｂの外形と同等の形状を有する。特に、本実施の形態１にかかる補強金具１５１ａ、１５１ｂは、それぞれ同一の内面を有する二つの鉤片１５４ａ、１５４ｂが設けられているので、突出部１２２ａ、１２２ｂを安定して保持することができる。
【００３８】
膨出部１０６ａ、１０６ｂの後面側の下側部分は切欠部１１７ａ、１１７ｂが形成されている。この切欠部１１７ａ、１１７ｂは、ロック部材１２１の下側プラグ保持部１２５ａの内側上面と接するようにして、ロック部材１２１とレセプタクルハウジング１０１間の位置規制を行う。このため、切欠部１１７ａ、１１７ｂの下面には、突起部１１４ａ及び凹部１１５ａが形成されている。
【００３９】
前壁１０３の中央部には、間隙１４０が設けられている。かかる間隙１４０の幅Ｗ１は、電線側コネクタ１のロックアーム３１ａにおける第４の連結部材３５ａの外側面から同ロックアーム３１ｂにおける第４の連結部材３５ｂの外側面までの距離分の幅Ｗ２を有している。従って、コネクタ同士を嵌合させた状態においては、当該第４の連結部材３５ａ、３５ｂの部分が、当該間隙内に収容される。このような構成によって、コネクタ構造に無駄な空間を発生させることなく、コネクタの小型化を実現できる。
【００４０】
レセプタクルハウジング１０１の前壁１０３の上端部には前側に延出したリブ部材１１１ａ、１１１ｂが一体的に形成されている。さらに、前壁１０３の間隙１４０を形成する側面１１０ａ、１１０ｂにも底面１０７に対して略垂直にリブ部材１１２ａ、１１２ｂが設けられている。このリブ部材１１２ａ、１１２ｂは、リブ部材１１１ａ、１１１ｂよりも上方に突出するようにして一段高く、上方部は下方部よりも幅広に形成されている。そして、リブ部材１１２ａ、１１２ｂの上端近傍には、間隙１４０のある側、即ち中央側に対して突出した係合突起１１３ａ、１１３ｂが一体的に形成されている。係合突起１１３ａ、１１３ｂは、電線側コネクタ１と基板側コネクタ２が嵌合されているときに係合突起３７ａ、３７ｂと係合し、電線側コネクタ１と基板側コネクタ２の嵌合状態を維持している。かかる係合突起１１３ａ、１１３ｂと、係合突起３７ａ、３７ｂによって、ロック機構を構成している。
【００４１】
係合突起１１３ａ、１１３ｂの前側面は、リブ部材１１１ａ、１１１ｂ、１１２ａ、１１２ｂの外側面と同一面を構成している。また、係合突起１１３ａ、１１３ｂの下面は、前壁１０３の側面１１０ａ、１１０ｂに対して略垂直、すなわち両コネクタの嵌合方向に垂直な面であるため、電線側コネクタ１の係合突起３７ａ、３７ｂの上面と、面接触することができ、係合状態を安定的に保つことができる。さらに、係合突起１１３ａ、１１３ｂの上面は、側壁１０３の、間隙に接する側面に対して下方に傾斜した傾斜面１１６ａ、１１６ｂであるため、電線側コネクタ１を基板側コネクタ２に対して嵌合させる際に、係合突起３７ａ、３７ｂの下面の一部が当該傾斜面をスライドしながら、中央方向に移動することによって、スムーズに係合状態に遷移することが可能となる。係合突起１１３ａ、１１３ｂの前後方向の幅は係合突起３７ａ、３７ｂの突出長さと略同じである。従って、コネクタ同士が嵌合した状態では、係合突起１１３ａ、１１３ｂの後側面は、電線側コネクタ１の第４の連結部材３５ａ、３５ｂの前側面よりも前側に位置する。
【００４２】
基板側コネクタ２は、いわゆるストレートタイプのコネクタであり、基板側コネクタ２の底面１０７の裏面は、回路基板表面に当接するようにして実装される。そのため、挿入凹部は、挿入口が上を向いて開口し、回路基板の主面に対して垂直に延在する。そして、レセプタクルハウジング１０１の各側壁１０２〜１０４は回路基板の主面に対してほぼ垂直となる。
【００４３】
ロック部材１２１は、レセプタクルハウジング１０１に対して前後方向にスライド可能に支持されている。ロック部材１２１は、レセプタクルコネクタ２に対してプラグコネクタ１を嵌合させる前段階では、レセプタクルハウジング１０１から離間する位置に配置され、基板側コネクタ２に対して電線側コネクタ１を嵌合させた後に前方向にスライドさせて、電線側コネクタ１を基板側コネクタ２に対して固定する。
【００４４】
図２に示されるように、ロック部材１２１は、基板側コネクタ２の長手方向の両端部において、前側に延在する２本の突出部１２２ａ、１２２ｂが一体的に形成されている。当該突出部１２２ａ、１２２ｂは、後述する上側プラグ保持部１２４ａ、１２４ｂ及び下側プラグ保持部１２５ａ、１２５ｂをレセプタクルハウジング１０１に対してスライド可能に支持する。これらの突出部１２２ａ、１２２ｂの断面は矩形状である。突出部１２２ａ、１２２ｂの先端に、当該突出部１２２ａ、１２２ｂの突出方向（即ち、前方向）に対して略垂直な下方向に鉤状に屈曲した鉤部である引掛部１３０が一体的に形成されている。かかる引掛部１３０ａ、１３０ｂは、基板側コネクタ２の溝部１０５ａ、１０５ｂの底面に設けられた段差部１６０ａに当接することにより、当該ロック部材１２１がレセプタクルハウジング１０１から後方に抜け出るのが防止される。
【００４５】
突出部１２２ａ、１２２ｂは、基体１２３の両端から当該基体１２３の主面に対して略垂直な方向に突出しており、かかる基体１２３によって互いに連結され、保持されている。この例における基体１２３は、板状部材であるが、これに限らず棒状部材であってもよい。
【００４６】
突出部１２２ａ、１２２ｂのそれぞれの上方には、上側プラグ保持部１２４ａ、１２４ｂが突出部１２２ａ、１２２ｂ及び基体１２３に対して一体的に形成されている。即ち、上側プラグ保持部１２４ａ、１２４ｂは、突出部１２２ａ、１２２ｂが形成された面と同一の面より突出している。上側プラグ保持部１２４ａ、１２４ｂは電線側コネクタ１の一部と接触して当該電線側コネクタ１を保持する機能を有する。上側プラグ保持部１２４ａ、１２４ｂは、中空の箱状部材であり、突出部１２２ａ、１２２ｂが設けられた位置より基板側コネクタ２の長手方向について中央側及び外側の両方に延在して設けられている。そのうち、基板側コネクタ２の長手方向について中央側に延在した部分の下面には、突起部１２６ａ、１２６ｂが一体的に形成されている。
【００４７】
上側プラグ保持部１２４ａ、１２４ｂに連続して、突出部１２２ａ、１２２ｂの下側に下側プラグ保持部１２５ａ、１２５ｂが形成されている。下側プラグ保持部１２５ａ、１２５ｂは、コネクタ同士をロックさせるときに、ロック部材１２１の移動をガイドし、かつレセプタクルハウジング１０１の一部と嵌合して位置決めを行うものである。さらに、下側プラグ保持部１２５ａ、１２５ｂは、電線側コネクタ１と基板側コネクタ２とを嵌合した状態において当該ロック部材１２１を前方にスライドさせた場合に基板側コネクタ２の一部と接触して当該基板側コネクタ２を保持する機能を有する。
すなわち、前記上側プラグ保持部１２４ａ、１２４ｂと下側プラグ保持部１２５ａ、１２５ｂは、嵌合状態の電線側コネクタ１と基板側コネクタ２とを上下方向から挟み込むよう保持し、それぞれのコネクタの離脱方向への変位を規制するロック機能を有する。
【００４８】
図３は、本実施の形態１にかかる電気コネクタを示す斜視図であり、電線側コネクタ１の下側部分が、基板側コネクタ２の挿入凹部に挿入され、コネクタ同士が嵌合した状態にあり、電線側コネクタ１の端子５１ａ、５１ｂと基板側コネクタ２の端子１５５ａ、１５５ｂが接続されている。ロック部材１２１は、各コネクタから離間した位置にあり、ロック部材１２１による両コネクタのロックが為されていない状態を示す。
【００４９】
嵌合状態において、電線側コネクタ１の第２の連結部材３３ａ、３３ｂ、第３の連結部材３４ａ、３４ｂが、基板側コネクタ２の側壁１０２、１０３、１０４の上端面と接するか、わずか上方に離間した位置に配置される。さらに、電線側コネクタ１の膨出部１４の下面及び第５の連結部材３６ａ、３６ｂの下面が基板側コネクタ２の底面と接するか、わずか上方に離間した位置に配置される。また、嵌合状態において、電線側コネクタ１の係合突起３７ａ、３７ｂと、基板側コネクタ２の係合突起１１３ａ、１１３ｂが係合状態にあり、電線側コネクタ１と基板側コネクタ２が分離するのを抑制している。
【００５０】
図４は、本実施の形態１にかかる電気コネクタを示す斜視図であり、ロック部材１２１が電線側コネクタ１と基板側コネクタ２に対して接触した位置に配置され、上側プラグ保持部１２４ａ、１２４ｂならびに下側プラグ保持部１２５ａ、１２５ｂによって電線側コネクタ１と基板側コネクタ２の嵌合状態が保持された状態を示す。
【００５１】
続いて、電線側コネクタ１を基板側コネクタ２に対して嵌合させて、さらにロック部材１２１により嵌合状態をロックする動作を説明する。まず、オペレータは、電線側コネクタ１を手指等によって操作して、電線側コネクタ１の対向面４０が基板側コネクタ２の底面１０７に向き合うように配置する。そして、電線側コネクタ１を回路基板の主面と垂直な方向に移動させ、電線側コネクタ１を基板側コネクタ２のレセプタクルハウジング１０１の挿入凹部に挿入し、電線側コネクタ１を基板側コネクタ２に嵌合させる。
【００５２】
オペレータは、第２の連結部材３３ａ、３３ｂを両側（左右方向外側）から２本の手指で、コネクタの長手方向の中央に向かって押圧しながら、両コネクタが近づく方向に付勢する。第２の連結部材３３ａ、３３ｂに対して外力が作用すると、プラグハウジング１１の側面から第１の連結部材３２ａ、３２ｂが弾性的に変形して、第２の連結部材３３ａ、３３ｂの内側面がプラグハウジング１１の側面に接触するか又は近傍まで移動する。第２の連結部材３３ａ、３３ｂの移動に応じて、第３の連結部材３４ａ、３４ｂが、当該プラグハウジング１１の長手方向の中央に向かって、略平行に移動する。このとき、外力が作用していない状態において、突起部１３ａ、１３ｂは切欠部３８ａ、３８ｂにおいて膨出部１４に寄った位置、即ち中央寄りに位置していたが、外力が作用し、第３の連結部材３４ａ、３４ｂが移動すると、突起部１３ａ、１３ｂは切欠部３８ａ、３８ｂにおいて膨出部１４から離れた位置、即ちプラグハウジング１１の長手方向の端面側に相対的に移動する。この突起部１３ａ、１３ｂおよび切欠部３８ａ、３８ｂによって、ロックアーム３１ａ、３１ｂは正面視で左右方向及び上方向への過度な移動が規制される。すなわち、突起部１３ａ、１３ｂと切欠部３８ａ、３８ｂは、プラグハウジング１１におけるロックアーム３１ａ、３１ｂの破損防止として機能する。この機能によって、ロックアーム３１ａ、３１ｂは所望の位置において安定的に移動することができ、局所的に大きな歪みが発生せず、ロックアーム３１ａ、３１ｂの破損が防止できる。
【００５３】
さらに、第３の連結部材３４ａ、３４ｂが中央方向に移動すると、第４の連結部材３５ａ、３５ｂの上端部が付勢されて第３の連結部材３４ａ、３４ｂによって中央方向に移動する。このとき、第４の連結部材３５ａ、３５ｂの下端部は、第５の連結部材３６ａ、３６ｂによって支持されているため、その位置は移動しない。これによって、第３の連結部材３４ａ、３４ｂと第４の連結部材３５ａ、３５ｂの間の屈曲部と、第４の連結部材３５ａ、３５ｂと第５の連結部材３６ａ、３６ｂの間の屈曲部は、それぞれ鋭角になるように弾性的に変形する。そして、通常時にプラグハウジング１１の対向面４０に対して略垂直であった第４の連結部材３５ａ、３５ｂは、傾斜する。かかる変形に伴って、第４の連結部材３５ａ、３５ｂに設けられた係合突起３７ａ、３７ｂは、レセプタクルコネクタ２の係合突起１１３ａ、１１３ｂよりも中央側に移動することができるため、当該係合突起１１３ａ、１１３ｂと衝突することなく、当該係合突起１１３ａ、１１３ｂの下側まで移動することが可能となる。
【００５４】
オペレータが手指を第２の連結部材３３ａ、３３ｂから離す等して外力の印加を解除すると、外力の作用に応じて弾性変形していたロックアーム３１ａ、３１ｂの弾性復帰力によって、傾斜していた第４の連結部材３５ａ、３５ｂは、プラグハウジング１１の対向面に対して略垂直な状態に至り、係合突起３７ａ、３７ｂも元の位置に戻る。そうすると、図５の正面図に示されるように、係合突起３７ａ、３７ｂは、基板側コネクタ２の係合突起１１３ａ、１１３ｂと係合した状態に至る。このように、係合突起同士が係合した状態では、電線側コネクタ１を基板側コネクタ２から取り外す方向に付勢したとしても、両者は分離しない。特に、本実施の形態にかかる電気コネクタは、センターロック方式であるため、片側のみロックされるような状態が生じえず、確実にロックすることができる。
【００５５】
このように、本実施の形態にかかる電気コネクタは、コネクタの長手方向の両端面を片手で挟み込むようにして外力を作用させることによって、ロック動作及びその解除動作を行うことができるため、作業性に優れている。
【００５６】
続いて、図６〜図８に示す、本実施の形態にかかる電気コネクタの断面図を用いて、ロック部材によるロック動作について説明する。図６〜図８は、図５のＹ１−Ｙ１断面図である。なお、本実施の形態にかかる電気コネクタの左側部分は右側部分と同様の構成を備えており、同様のロック動作となる。
【００５７】
図６〜図８に示されるように、上側プラグ保持部１２４ａの下面には、突起部１２６ａが形成され、下側プラグ保持部１２５ａの上面には、突起部１２７ａが形成されている。また、プラグハウジング１１の側面に形成された膨出部１５ａの上面には、突起部１６ａおよび凹部１７ａが形成されている。さらに、レセプタクルハウジング１０１の膨出部１０６ａの切欠部１１７ａ下面には、突起部１１４ａ及び凹部１１５ａが形成されている。
【００５８】
図６は、基板側コネクタ２の上方から電線側コネクタ１を嵌合させた状態を示し、ロック部材１２１によるロックは行われていない。図に示されるように、ロック部材１２１は、基板側コネクタ２に対して補強金具１５１ａによってスライド可能に保持されているが、レセプタクルハウジング１０１の本体より離間した位置に配置されている。従って、ロック部材１２１の上側プラグ保持部１２４ａは、プラグハウジング１１と接触しておらず、保持した状態にない。そのため、プラグ保持部１２４ａに形成された突起部１２６ａ及び下側プラグ保持部１２５ａに形成された突起部１２７ａは、他の部材と接触した状態にない。
【００５９】
図７の断面図は、ロック部材１２１に対して前面側に押すことにより前方に移動させた状態を示す。この状態では、まだ、ロック部材１２１の基体１２３は、レセプタクルハウジング１０１の本体に対して接触した状態にない。この段階において、上側プラグ保持部１２４ａに形成された突起部１２６ａは、プラグハウジング１１の突起部１６ａの後側側面に接触した状態にある。また、下側プラグ保持部１２５ａに形成された突起部１２７ａは、膨出部１０６ａの切欠部１１７ａに形成された突起部１１４ａの後側側面に接触した状態にある。このように突起部同士が接触した状態にいたると、オペレータは、操作している手指の感覚でその状態を認識できるため、ロック動作が中間段階にあることがわかる。
【００６０】
さらに、オペレータが、ロック部材１２１を前方に押すと、プラグ保持部１２４ａに形成された突起部１２６ａは、プラグハウジング１１の突起部１６ａを乗り越えて、凹部１７ａに嵌合する。また、下側プラグ保持部１２５ａに形成された突起部１２７ａも、膨出部１０６ａの切欠部１１７ａに形成された突起部１１４ａを乗り越えて、凹部１１５ａに嵌合する。この段階における状態を、図８の断面図に示す。この段階では、上側プラグ保持部１２４ａ、１２４ｂの下面がプラグハウジング１１の膨出部１５ａ、１５ｂの上面と接触し、下側プラグ保持部１２５ａ、１２５ｂの上面がレセプタクルハウジング１０１の膨出部１０６ａ、１０６ｂの切欠部１１７ａ、１１７ｂの下面と接触し、上側プラグ保持部１２４ａ、１２４ｂと下側プラグ保持部１２５ａ、１２５ｂにより、プラグハウジング１１とレセプタクルハウジング１０１を上下方向から挟み込むように保持し、それぞれのハウジングの離脱方向への変位を抑制する。また、ロック部材１２１の突出部１２２ａ、１２２ｂが補強金具１５１ａ、１５１ｂ等によって基板側コネクタ２に固定された状態であるため、電線側コネクタ１を基板側コネクタ２から取り外すことができない。また、突起部１２６ａ、１２６ｂ、１２７ａ、１２７ｂと凹部１７ａ、１７ｂ、１１５ａ、１１５ｂが嵌合した状態にあるため、弱い力ではロック部材１２１を取り外すことができず、安定的にロック状態を維持することが可能となる。
【００６１】
次に、基板側コネクタ２から電線側コネクタ１を取り外す場合について説明する。図５に示す状態において、オペレータは第２の連結部材３３ａ、３３ｂを両側（左右方向外側）から２本の手指で、コネクタの長手方向の中央に向かって押圧する。
【００６２】
第２の連結部材３３ａ、３３ｂがコネクタの長手方向の中央に向かって移動すると係合突起３７ａ、３７ｂと係合突起１１３ａ、１１３ｂの係合が解除され、電線側コネクタ１を基板側コネクタ２から抜き取ることが可能となる。
【００６３】
そして第２の連結部材３３ａ、３３ｂを押圧したまま第２の連結部材３３ａ、３３ｂを引き上げるよう両コネクタを引き離す方向に付勢する。
【００６４】
その際、両コネクタの嵌合を外すために所定の付勢力を要するためロックアーム３１ａ、３１ｂが第１、第４、第５の連結部材３２ａ、３２ｂ、３５ａ、３５ｂ、３６ａ、３６ｂの撓みにより上方へ移動するが、突起部１３ａ、１３ｂによりその移動が規制される。第２、第３の連結部材３３ａ、３３ｂ、３４ａ、３４ｂは不要な撓みが無いよう比較的強く形成されているため、オペレータはロックアーム３１ａ、３１ｂが過度な移動をさせることなく、第２の連結部材３３ａ、３３ｂを引き上げることにより両コネクタを嵌合状態から解除することができる。
【００６５】
続いて、図９、図１０に示す、本実施の形態にかかる電気コネクタの断面図を用いて、ロック部材のスライド動作について説明する。図９、図１０は、図５のＹ２−Ｙ２断面図である。なお、本実施の形態にかかる電気コネクタの左側部分は右側部分と同様の構成を備えており、同様のスライド動作となる。
図９は、コネクタ同士の嵌合状態をロック部材１２１によってロックしたときの断面を示す。図に示されるように、ロック部材１２１の突出部１２２ａは、溝部１０５ａに収容され、特に、その先端にある引掛部１３０ａは、溝部１０５ａの底面に設けられた、当接部として機能する段差部１６０ａの下段に嵌め込まれている。ここで、引掛部１３０ａの下方への突出長さは、段差部１６０ａの段差深さと略等しい。この状態では、突出部１２２ａの先端面が溝部１０５ａの前方側の側壁にほぼ接する位置にある。
図１０は、ロック部材１２１によるロックを解除したときの断面を示す。図に示されるように、ロック部材１２１は、コネクタに対して後方に移動し、その先端にある引掛部１３０ａの後面が段差部１６０ａの後側面に接している。このとき、突出部１２２ａは、補強金具１５１ａの鉤片１５４ａによって上下方向に対しての位置規制がされているため、段差部１６０ａの段差を乗り越えることができず、図１０に示す状態よりも、コネクタに対して相対的に後方に移動することができない。これによって、当該ロック部材１２１がレセプタクルハウジング１０１から後方に抜け出るのが防止される。
【００６６】
次に、図１１は、本実施の形態１にかかる電気コネクタの断面図であり、図３のＸ−Ｘ矢視断面図である。図１１に示されるように、電線側コネクタ１には、図１２にその斜視図が示される端子５１が並列に配設されており、その端子５１の薄板状の先端部が基板側コネクタ２側に突出している。基板側コネクタ２には、電線側コネクタ１の端子５１ａ、５１ｂの先端部を受け入れる端子１５５ａ、１５５ｂが設けられている。基板側コネクタ２の端子１５５ａ、１５５ｂの形状を図１３に示す。図１３に示されるように、電線側コネクタ１の端子５１ａ、５１ｂの先端部を受け入れる部分が二股状に形成されており、反対側が１本の直線状に形成されている。
【００６７】
以上、説明したように、本実施の形態１にかかる電気コネクタによれば、ロック部材１２１の突出部１２２ａ、１２２ｂが補強金具１５１ａ、１５１ｂ等によってスライド可能な状態で基板側コネクタ２に取り付けられ、かつ、突出部１２２ａ、１２２ｂに設けられた引掛部１３０ａ、１３０ｂに当接する段差部１６０ａ、１６０ｂ等の当接手段をレセプタクルハウジング１０１に設けたため、ロック部材１２１がレセプタクルハウジング１０１から抜け出るのが防止される。これにより、電線側コネクタ１を当該基板側コネクタ２に対して取り付ける前や、取り付ける際に、当該ロック部材１２１が基板側コネクタ２から外れることがないため、ロック部材１２１の紛失や再取付の必要がないので、ロック部材１２１によるロック工程の作業性に極めて優れている。
【００６８】
発明の実施の形態２．
続いて、本実施の形態２にかかる電気コネクタの構造について説明する。図１４は、本実施の形態２にかかる電気コネクタを示す斜視図であり、嵌合前の状態を示している。
【００６９】
発明の実施の形態１にかかる電気コネクタにおいては、電線側コネクタ１と基板側コネクタ２の分離を完全に防止するロック部材１２１がコネクタの長手方向における両端部に設けられていたが、本実施の形態２にかかる電気コネクタにおいては、同ロック部材３２１がコネクタの長手方向における中央付近に設けられている点で異なる。その一方で、本実施の形態２にかかる電気コネクタにおけるその他の構造は、基本的に発明の実施の形態１と同じであるため、詳細な説明を省略する。
【００７０】
図１５、図１６、図１７は、それぞれ本実施の形態２にかかるロック部材３２１の上面図、正面図、右側面図である。各図に示されるように、当該ロック部材３２１の長方形状の基体３２３の上端中央部からは、前方向に上側プラグ保持部３２４ａおよび下側プラグ保持部３２４ｂが突出して一体的に形成されている。
上側プラグ保持部３２４ａは、電線側コネクタ２０１と基板側コネクタ２０２とを嵌合した状態において当該ロック部材３２１を前方にスライドさせた場合に電線側コネクタ２０１の一部と接触して当該電線側コネクタ２０１を保持する機能を有する。この上側プラグ保持部３２４ａは、薄板状の部材であり、その先端部下面には、突起部３２９が形成されている。
下側プラグ保持部３２４ｂは、電線側コネクタ１と基板側コネクタ２とを嵌合した状態において当該ロック部材３２１を前方にスライドさせた場合に基板側コネクタ２の一部と接触して当該基板側コネクタ２０２を保持する機能を有する。
すなわち、上側プラグ保持部３２４ａと下側プラグ保持部３２４ｂは、嵌合状態の電線側コネクタ２０１と基板側コネクタ２０２を上下方向から挟み込むように保持し、それぞれのコネクタの離脱方向への変位を規制するロック機能を有する。
【００７１】
さらに、ロック部材３２１の基体３２３の下端部であって、その長手方向について両端近傍からは、前方向（即ち、プラグ保持部３２４と略平行）に二つの突出部３２２ａ、３２２ｂが突出して一体的に形成されている。突出部３２２ａ、３２２ｂは、棒状部材であり、それらの先端の左右側面及び下面には、それぞれ左右方向及び下方向の３方向に突出凸部３２５ａ、３２５ｂ、３２６ａ、３２６ｂ、３２７ａ、３２７ｂが設けられている。このうち、凸部３２５ａ、３２５ｂ、３２６ａ、３２６ｂは、引掛部として機能する。突出部３２２ａ、３２２ｂの上面には、その長手方向に沿って凹状の溝部３３０ａ、３３０ｂが形成されており、その溝部の前方側であって、凸部３２５ａ、３２５ｂよりも後ろ側の位置に突起部３２８ａ、３２８ｂが一体的に形成されている。これら突起部３２８ａ、３２８ｂの高さは、溝部の深さと同程度である。
【００７２】
本実施の形態２にかかるロック部材３２１は、レセプタクルハウジング３０１の底面の下側から挿入することによって、当該レセプタクルハウジング３０１に対してスライド可能に取り付けることができる。図１８〜図２５を用いて、ロック部材３２１をレセプタクルハウジング３０１に取り付ける動作について説明する。図１８と図１９、図２０と図２１、図２２と図２３はそれぞれ同一の段階における斜視図及び断面図を示す。図１９、図２１、図２３は、図１４のＺ−Ｚ矢視断面部分の図１８、図２０、図２２の状態である。また、図２４はロック部材３２１を最も前方まで移動させた状態の下断面図であり、図２３のＵ−Ｕ矢視断面図である。図２５はロック部材３２１を最も後方まで移動させた状態の下断面図であり、図２３のＵ−Ｕ矢視断面図である。
【００７３】
ここで、レセプタクルハウジング３０１の底面には、溝部３１０ａ、３１０ｂが設けられている。この溝部３１０ａ、３１０ｂの底面と同一面には、支持部としての機能を有する底面リブ３３２ａ、３３２ｂ、３３３ａ、３３３ｂが設けられている。これによって、レセプタクルハウジング３０１の底面には、ロック部材３２１の突出部３２２ａ、３２２ｂの上面形状に対応した形状を有する開口が形成される。
【００７４】
より具体的には、溝部３１０ａの右側に設けられた底面リブ３３２ａに凸部３２５ａの幅以上の幅を有する切欠部３４１ａが形成され、溝部３１０ａの左側に設けられた底面リブ３３３ａに凸部３２６ａの幅以上の幅を有する切欠部３４２ａが形成されている。また、溝部３１０ｂの左側に設けられた底面リブ３３２ｂに凸部３２５ｂの幅以上の幅を有する切欠部３４１ｂが形成され、溝部３１０ｂの右側に設けられた底面リブ３３３ｂに凸部３２６ｂの幅以上の幅を有する切欠部３４２ｂが形成されている。底面リブ３３２ａ、３３２ｂ、３３３ａ、３３３ｂは、ロック部材３２１の凸部３２５ａ、３２５ｂ、３２６ａ、３２６ｂを下側からスライド可能に支持する。図２４及び図２５に示されるように、溝部３１０ａの内面３３６ａにおける左右方向の幅は、図に示されるように、突出部３２２ａの先端に設けられた凸部３２５ａ、３２６ａの頂部間の長さとほぼ同じである。また、溝部３１０ｂの内面３３６ｂにおける左右方向の幅は、図に示されるように、突出部３２２ｂの先端に設けられた凸部３２５ｂ、３２６ｂの頂部間の長さとほぼ同じである。
【００７５】
また、レセプタクルハウジング３０１の背面３０４には、当該ロック部材３２１の突出部３２２ａ、３２２ｂの長尺部分の断面に対応した形状を有し、底面に形成された開口と連続する切欠部３４３ａ、３４３ｂが形成されている。切欠部３４３ａ、３４３ｂのそれぞれの左右には、当接部としての機能を有する背面リブ３３４ａ、３３４ｂ、３３５ａ、３３５ｂが形成されている。切欠部３４３ａ、３４３ｂのそれぞれにおける左右方向の幅は、突出部３２２ａ、３２２ｂの長尺部分と略同じであり、それぞれ凸部３２５ａ、３２６ａの頂部間の長さ、凸部３２５ｂ、３２６ｂの頂部間の長さよりも短い。このため、溝部３１０ａ、３１０ｂに突出部３２２ａ、３２２ｂが収容された状態では、背面リブ３３４ａ、３３５ａ、３３４ｂ、３３５ｂに凸部３２５ａ、３２５ｂ、３２６ａ、３２６ｂと接触するため、後ろ側に抜けない。
【００７６】
底面に形成された開口及び切欠部３４３ａ、３４３ｂを開口とする溝部３１０ａ、３１０ｂが形成される。かかる溝部３１０ａ、３１０ｂの上面（即ち、底面）の、切欠部３４３ａ、３４３ｂの近傍には、突起部３１４ａ、３１４ｂが一体的に形成されている。
【００７７】
図１８、図１９に示されるように、まず、レセプタクルハウジング３０１に対して下方からロック部材３２１の突出部３２２ａ、３２２ｂをレセプタクルハウジング３０１の底面と平行に配置した状態から溝部３１０ａ、３１０ｂに形成された開口から平行移動させて挿入する。このとき、ロック部材３２１の凸部３２５ａが切欠部３４１ａに挿入され、同凸部３２５ｂが切欠部３４１ｂに挿入される。また、凸部３２６ａが切欠部３４２ａに挿入され、同凸部３２６ｂが切欠部３４２ｂに挿入される。なお、凸部３２５ａ、３２５ｂが、当該切欠部３４１ａ、３１１ｂに挿入可能な位置よりもずれた位置にある場合には、ロック部材３２１の突出部３２２ａ、３２２ｂは、レセプタクルハウジング３０１の溝部３１０ａ、３１０ｂに形成された開口に挿入することはできない。
【００７８】
次に、図２０、図２１に示されるように、オペレータは、突出部３２２ａ、３２２ｂが溝部３１０ａ、３１０ｂの内側に収容されるまで、当該ロック部材３２１を上方に移動させる。移動の後における、突出部３２２ａ、３２２ｂの上面は、レセプタクルハウジング３０１の底面に形成された溝部３１０ａ、３１０ｂの上面（底面）に略接触した状態である。このとき、図２１に示されるように、突出部３２２ａ、３２２ｂに形成された突起部３２８ａ、３２８ｂは、レセプタクルハウジング３０１の溝部３１０ａ、３１０ｂの上面に形成された突起部３１４ａ、３１４ｂよりも前側に位置している。また、ロック部材１２１の基体３２３の前面は、レセプタクルハウジング３０１の背面から離間した位置にある。
【００７９】
さらに、図２２、図２３に示されるように、オペレータは、ロック部材３２１を当該レセプタクルハウジング３０１の背面３０４からさらに離間する方向、即ち後ろ側に移動させる。すると、図２５の下断面図に示されるように、突出部３２２ａ、３２２ｂに形成された、左右方向の凸部３２５ａ、３２５ｂ、３２６ａ、３２６ｂは、レセプタクルハウジング３０１の背面３０４に形成された背面リブ３３４ａ、３３４ｂ、３３５ａ、３３５ｂに接触するため、これ以上後方へは移動できない。また、突出部３２２ａ、３２２ｂの溝部３１０ａ、３１０ｂ内に形成された突起部３２８ａ、３２８ｂは、レセプタクルハウジング３０１の溝部３１０ａ、３１０ｂの上面に形成された突起部３１４ａ、３１４ｂを乗り越えて後方に位置する。従って、ロック部材３２１を移動させているオペレータは、突起部３２８ａ、３２８ｂが突起部３１４ａ、３１４ｂを乗り越えたのを、手指より感じとり、ロック部材３２１が最も後方まで移動したことを認識することができる。
また、この状態からロック部材３２１は、再度前方へ押圧されなければ突起部３１４ａ、３１４ｂを乗り越えずに後方で位置規制され、レセプタクルハウジング３０１から離間した位置に仮保持される。これによりオペレータは、ロック部材３２１がレセプタクルハウジング３０１から離間した状態を保持しつつ、作業を行うことができる。
【００８０】
図２２、図２３に示す位置までロック部材３２１を後方に移動させた状態において、オペレータは、電線側コネクタ２０１をレセプタクルハウジング３０１の嵌合凹部に差し込むことにより嵌合状態にする。図２６の斜視図及び図２７の右側面図は、コネクタ同士が嵌合状態であって、未だ、ロック部材３２１によるロックが行われていない状態を示す。この状態において、通常は、レセプタクルハウジング３０１の底面側が回路基板と当接するようにしてレセプタクルコネクタ２０２が回路基板に実装されるため、ロック部材３２１は、基板側コネクタ２０２が回路基板から取り外されない限り、当該レセプタクルハウジング３０１と分離することはなく、スライド可能に保持された状態が維持される。
この状態における電気コネクタを示す図２６のＶ２−Ｖ２矢視図断面図を図２８に示す。この状態においては、上側プラグ保持部３２４ａおよび下側プラグ保持部３２４ｂのそれぞれは、プラグハウジング２１１及びレセプタクルハウジング３０１から離間した位置にあるため、ロック部材３２１によるロックが行われていない。
【００８１】
その後に、当該ロック部材３２１を前方に移動させることによって嵌合状態をロックすることができる。ここで、図２９は、この状態における電気コネクタを示す、図２６のＶ２−Ｖ２矢視図断面図である。図に示されるように、ロック部材３２１の上側プラグ保持部３２４ａは、プラグハウジング２１１の切欠部２４１に接して、上側からプラグハウジング２１１を支持している。特に上側プラグ保持部３２４ａの突起部３２９は、プラグハウジング２１１の切欠部２４１の底面に形成された凹部２４２に嵌合される。また、下側プラグ保持部３２４ｂは、レセプタクルハウジング３０１の底面側に形成された凸部３３１の下面に接して、下側からレセプタクルハウジング３０１を支持している。この状態においては、図２４の下断面図に示されるように、ロック部材３２１の突出部３２２ａ、３２２ｂの先端面は、溝部３１０ａ、３１０ｂの前面にほぼ接する位置にある。
【００８２】
図３０、図３１は、図２６のＶ２−Ｖ２矢視図断面図である。図３０の断面図では、ロック部材３２１を前方に移動させ、上側プラグ保持部３２４ａの突起部３２９がプラグハウジング２１１の切欠部２４１の底面に形成された凹部２４２に嵌合される直前の状態を示している。さらに、ロック部材３２１を前方に移動させると、図３１で示されるように、突起部３２９が凹部２４２に嵌合し、嵌合状態がロックされる。このときの電気コネクタの斜視図及び右側面図を図３２、図３３に示す。
【００８３】
以上説明したように、本実施の形態２にかかる電気コネクタによれば、ロック部材３２１の突出部３２２ａ、３２２ｂが前後方向にスライド可能な状態で基板側コネクタ２０２に取り付けられているため、電線側コネクタ２０１を当該基板側コネクタ２０２に対して取り付ける前や、取り付ける際に、当該ロック部材１２１が基板側コネクタ２０２から外れることがないため、ロック部材１２１の紛失や再取付の必要がないので、ロック部材１２１によるロック工程の作業性に極めて優れている。
以上説明したように、本実施の形態２にかかる電気コネクタによれば、ロック部材３２１の突出部３２２ａ、３２２ｂが溝部３１０ａ、３１０ｂにスライド可能な状態で基板側コネクタ２に取り付けられ、かつ、突出部３２２ａ、３２２ｂに設けられた凸部３２５ａ、３２５ｂ、３２６ａ、３２６ｂは、レセプタクルハウジング３０１の背面３０４に形成された背面リブ３３４ａ、３３４ｂ、３３５ａ、３３５ｂに接触するため、ロック部材３２１がレセプタクルハウジング３０１から抜け出るのが防止される。これにより、電線側コネクタ１を当該基板側コネクタ２０２に対して取り付ける前や、取り付ける際に、当該ロック部材３２１が基板側コネクタ２０２から外れることがないため、ロック部材３２１の紛失や再取付の必要がないので、ロック部材３２１によるロック工程の作業性に極めて優れている。
【００８４】
その他の実施の形態．
本発明は前記実施の形態に限定されるものではなく、本発明の趣旨に基づいて種々変形させることが可能であり、それらを本発明の範囲から排除するものではない。
【００８５】
例えば、発明の実施の形態１では、ロック部材１２１をスライド可能に固定する部材として金属製の補強金具１５１ａ、１５１ｂを用いたが、金属でなくても合成樹脂その他の材料によって構成されていてもよい。また、かかる補強金具１５１ａ、１５１ｂは、ロック部材１２１の突出部１２２ａ、１２２ｂを外側から保持しているが、内側から保持するものであってもよい。
【００８６】
また、発明の実施の形態２では、ロック部材３２１の突出部として、２つの突出部３２２ａ、３２２ｂが左右方向に形成されているが、これに限らず、１つの突出部のみを中央付近に設けてもよく、さらに３以上の突出部を設けるようにしてもよい。
【図面の簡単な説明】
【００８７】
【図１】発明の実施の形態１にかかる電気コネクタの斜視図であり、嵌合前の状態を示す図である。
【図２】発明の実施の形態１にかかる電気コネクタの一部である基板側コネクタの分解斜視図である。
【図３】発明の実施の形態１にかかる電気コネクタの斜視図であり、ロック部材によるロック前の状態を示す図である。
【図４】発明の実施の形態１にかかる電気コネクタの斜視図であり、ロック部材によるロック後の状態を示す図である。
【図５】発明の実施の形態１にかかる電気コネクタの正面図である。
【図６】発明の実施の形態１にかかる電気コネクタの断面図であり、図５のＹ１−Ｙ１矢視斜視図である。
【図７】発明の実施の形態１にかかる電気コネクタの断面図であり、図５のＹ１−Ｙ１矢視斜視図である。
【図８】発明の実施の形態１にかかる電気コネクタの断面図であり、図５のＹ１−Ｙ１矢視斜視図である。
【図９】発明の実施の形態１にかかる電気コネクタの断面図であり、図５のＹ２−Ｙ２矢視斜視図である。
【図１０】発明の実施の形態１にかかる電気コネクタの断面図であり、図５のＹ２−Ｙ２矢視斜視図である。
【図１１】発明の実施の形態１にかかる電気コネクタの断面図であり、図２の示すＸ−Ｘ矢視断面図である。
【図１２】発明の実施の形態１にかかる電気コネクタの一部である電線側コネクタの端子を示す斜視図である。
【図１３】発明の実施の形態１にかかる電気コネクタの一部である基板側コネクタの端子を示す斜視図である。
【図１４】発明の実施の形態２にかかる電気コネクタの斜視図であり、嵌合前の状態を示す図である。
【図１５】発明の実施の形態２にかかる電気コネクタのロック部材の上面図である。
【図１６】発明の実施の形態２にかかる電気コネクタのロック部材の正面図である。
【図１７】発明の実施の形態２にかかる電気コネクタのロック部材の右側面図である。
【図１８】発明の実施の形態２にかかる電気コネクタの一部である基板側コネクタの斜視図である。
【図１９】発明の実施の形態２にかかる電気コネクタの一部である基板側コネクタの断面図であり、図１２のＺ−Ｚ矢視断面図である。
【図２０】発明の実施の形態２にかかる電気コネクタの一部である基板側コネクタの斜視図である。
【図２１】発明の実施の形態２にかかる電気コネクタの一部である基板側コネクタの断面図であり、図１２のＺ−Ｚ矢視断面図である。
【図２２】発明の実施の形態２にかかる電気コネクタの一部である基板側コネクタの斜視図である。
【図２３】発明の実施の形態２にかかる電気コネクタの一部である基板側コネクタの断面図であり、図１２のＺ−Ｚ矢視断面図である。
【図２４】発明の実施の形態２にかかる電気コネクタの一部である基板側コネクタの下断面図である。
【図２５】発明の実施の形態２にかかる電気コネクタの一部である基板側コネクタの下断面図である。
【図２６】発明の実施の形態２にかかる電気コネクタの斜視図であり、ロック部材によるロック前の状態を示す図である。
【図２７】発明の実施の形態２にかかる電気コネクタの右側面図であり、ロック部材によるロック前の状態を示す図である。
【図２８】発明の実施の形態２にかかる電気コネクタの断面図であり、ロック部材によるロック前の状態を示す図である。
【図２９】発明の実施の形態２にかかる電気コネクタの断面図であり、ロック部材によるロック前の状態を示す図である。
【図３０】発明の実施の形態２にかかる電気コネクタの断面図であり、図２２のＶ−Ｖ矢視断面図である。
【図３１】発明の実施の形態２にかかる電気コネクタの断面図であり、図２２のＶ−Ｖ矢視断面図である。
【図３２】発明の実施の形態２にかかる電気コネクタの斜視図であり、ロック部材によるロック後の状態を示す図である。
【図３３】発明の実施の形態２にかかる電気コネクタの斜視図であり、ロック部材によるロック後の状態を示す図である。
【図３４】従来のコネクタの断面図であり、嵌合前の状態を示す説明図である。
【符号の説明】
【００８８】
１、２０１  電線側コネクタ
２、２０２  基板側コネクタ
１１、２１１  プラグハウジング
１２ａ、１２ｂ、２１２ａ、２１２ｂ  端子収容孔
１３ａ、１３ｂ、２１３ａ、２１３ｂ  突起部
１４、２１４  膨出部
１５ａ、１５ｂ  膨出部
１６ａ、１６ｂ  突起部
１７ａ、１７ｂ  凹部
２１、２２１  電線
３１ａ、３１ｂ、２３１ａ、２３１ｂ  ロックアーム
３２ａ、３２ｂ、２３２ａ、２３２ｂ  第１の連結部材
３３ａ、３３ｂ、２３３ａ、２３３ｂ  第２の連結部材
３４ａ、３４ｂ、２３４ａ、２３４ｂ  第３の連結部材
３５ａ、３５ｂ、２３５ａ、２３５ｂ  第４の連結部材
３６ａ、３６ｂ、２３６ａ、２３６ｂ  第５の連結部材
３７ａ、３７ｂ、２３７ａ、２３７ｂ  係合突起
３８ａ、３８ｂ、２３８ａ、２３８ｂ  切欠部
４０、２３９  対向面
５１ａ、５１ｂ  端子
１０１、３０１  レセプタクルハウジング
１０２〜１０４、３０２〜３０４  側壁
１０５ａ、１０５ｂ  溝部
１０６ａ、１０６ｂ、３０６ａ、３０６ｂ  膨出部
１０７、３０７  底面
１０８ａ、１０８ｂ、３０８ａ、３０８ｂ  端子部
１０９  取付孔
１１０ａ、１１０ｂ  側面
１１１ａ、１１１ｂ、３１１ａ、３１１ｂ  リブ部材
１１２ａ、１１２ｂ、３１２ａ、３１２ｂ  リブ部材
１１３ａ、１１３ｂ、３１３ａ、３１３ｂ  係合突起
１１４ａ、１１４ｂ  突起部
１１５ａ、１１５ｂ  凹部
１１６ａ、１１６ｂ  傾斜面
１１７、２４１  切欠部
１２１、３２１  ロック部材
１２２ａ、１２２ｂ、３２２ａ、３２２ｂ  突出部
１２３、３２３  基体
１２４ａ、１２４ｂ、３２４ａ  上側プラグ保持部
１２５ａ、１２５ｂ、３２４ｂ  下側プラグ保持部
１２６ａ、１２６ｂ  突起部
１２７ａ、１２７ｂ  突起部
１３０  引掛部
１４０  間隙
１５１ａ、１５１ｂ  補強金具
１５２ａ、１５２ｂ  基部
１５３ａ、１５３ｂ  釘状部
１５４ａ、１５４ｂ  鉤片
１５５ａ、１５５ｂ  端子
１６０  段差部
２４２  凹部
３１０ａ、３１０ｂ  溝部
３１４ａ、３１４ｂ  突起部
３２５ａ、３２５ｂ、３２６ａ、３２６ｂ、３２７ａ、３２７ｂ  凸部
３２８ａ、３２８ｂ  突起部
３２９  突起部
３３０ａ、３３０ｂ  溝部
３３２ａ、３３２ｂ、３３３ａ、３３３ｂ  底面リブ
３３４ａ、３３４ｂ、３３５ａ、３３５ｂ  背面リブ
３３６  内面
３４１ａ、３４１ｂ  切欠部
３４２ａ、３４２ｂ  切欠部
３４３ａ、３４３ｂ  切欠部 
８０１  雄型コネクタ
８０２  雌型コネクタ
８０３  差込みロック板
８０４  突起
【図１】
2009134898.tif 000003
【図２】
2009134898.tif 000004
【図３】
2009134898.tif 000005
【図４】
2009134898.tif 000006
【図５】
2009134898.tif 000007
【図６】
2009134898.tif 000008
【図７】
2009134898.tif 000009
【図８】
2009134898.tif 000010
【図９】
2009134898.tif 000011
【図１０】
2009134898.tif 000012
【図１１】
2009134898.tif 000013
【図１２】
2009134898.tif 000014
【図１３】
2009134898.tif 000015
【図１４】
2009134898.tif 000016
【図１５】
2009134898.tif 000017
【図１６】
2009134898.tif 000018
【図１７】
2009134898.tif 000019
【図１８】
2009134898.tif 000020
【図１９】
2009134898.tif 000021
【図２０】
2009134898.tif 000022
【図２１】
2009134898.tif 000023
【図２２】
2009134898.tif 000024
【図２３】
2009134898.tif 000025
【図２４】
2009134898.tif 000026
【図２５】
2009134898.tif 000027
【図２６】
2009134898.tif 000028
【図２７】
2009134898.tif 000029
【図２８】
2009134898.tif 000030
【図２９】
2009134898.tif 000031
【図３０】
2009134898.tif 000032
【図３１】
2009134898.tif 000033
【図３２】
2009134898.tif 000034
【図３３】
2009134898.tif 000035
【図３４】
2009134898.tif 000036